(57)【要約】【課題】スピーカの誤配線の有無を容易に検出することを可能とする音声再生装置を提供する。【解決手段】音声再生装置１は、音声信号に含まれる複数のチャネル信号をそれぞれ再生するスピーカＳ１〜Ｓ６を備える。スピーカＳ１〜Ｓ６のそれぞれには、対応するチャネル信号があるが、入力されるチャネル信号とスピーカとが対応しない誤配線が発生する場合がある。ＭＣＵ１５は、第１信号線Ｌ１１〜Ｌ６１に通じられる信号の状態に基づいて、誤配線を検出する。【選択図】図１
2011114570.tif 000002
【特許請求の範囲】
【請求項１】
複数のチャネル信号を再生する音声再生装置において、
前記複数のチャネル信号のそれぞれに対応する複数のスピーカと、
前記複数のスピーカのそれぞれに接続する複数の信号線と、
前記複数のチャネル信号を前記複数の信号線のそれぞれを通じて前記複数のスピーカのそれぞれに対して出力する本体部と、を備え、
前記本体部が、前記信号線に通じられる信号の状態に基づいて、当該信号線に接続されるスピーカの配線の正誤を判定することを特徴とする音声再生装置。
【請求項２】
前記複数のスピーカの少なくとも１つが、他のスピーカとインピーダンスが異なるものであり、
前記本体部が、前記信号線に通じられる信号の電圧値に基づいて、当該信号線に接続されるスピーカの配線の正誤を判定することを特徴とする請求項１に記載の音声再生装置。
【請求項３】
前記複数の信号線に通じられる信号のそれぞれを整流平滑化する複数の整流平滑化部をさらに備え、
前記本体部が、前記信号線に通じられる信号を前記整流平滑化部で整流平滑化して得られる電圧値に基づいて、当該信号線に接続されるスピーカの配線の正誤を判定することを特徴とする請求項２に記載の音声再生装置。
【請求項４】
前記本体部が、前記複数のスピーカのそれぞれに対して略等しい判定用信号を出力し、
前記本体部が、前記判定用信号を出力することで前記信号線に通じられる信号の状態に基づいて、当該信号線に接続されるスピーカの配線の正誤を判定することを特徴とする請求項１〜請求項３のいずれかに記載の音声再生装置。
【請求項５】
前記本体部が、配線が誤っていると判定したスピーカに対して、出力するチャネル信号を変更することを特徴とする請求項１〜請求項４のいずれかに記載の音声再生装置。
【請求項６】
前記本体部が、配線が誤っていると判定した複数のスピーカに出力するチャネル信号を入れ替えることを特徴とする請求項５に記載の音声再生装置。
【請求項７】
前記本体部が、前記複数のスピーカのそれぞれに対して略等しい判定用信号を出力し、
前記本体部が、前記判定用信号を出力することで前記信号線に通じられる信号の状態に基づいて、当該信号線に接続されるスピーカに対応するチャネル信号を推定し、推定された当該チャネル信号を変更後のチャネル信号とすることを特徴とする請求項５または請求項６に記載の音声再生装置。
【発明の詳細な説明】
【技術分野】
【０００１】
本発明は、複数のスピーカを備える音声再生装置に関する。
【背景技術】
【０００２】
近年、例えば光ディスクに記録されたり放送されたりする動画コンテンツなどに、複数のチャネル信号（例えば、５．１ｃｈの信号）を備えた音声信号が含まれることが多くなっている。この複数のチャネル信号は、それぞれに対応するスピーカを用いて再生することにより、例えば臨場感を高めた再生を行うことが可能となる。そのため、上記の複数のスピーカを備えた音声再生装置が、広く用いられるようになっている。
【０００３】
音声再生装置は、それぞれのチャネル信号を出力するそれぞれの出力部を備えた本体部と、チャネル信号の一つが入力される入力部を備えたそれぞれのスピーカと、本体部のそれぞれの出力部とスピーカの入力部とをそれぞれ接続する複数の信号線と、を備える。また、本体部のそれぞれの出力部とスピーカの入力部との信号線による接続（配線）は、主に音声再生装置を購入したユーザによって行われる。
【０００４】
しかしながら、信号線の端部に設けられる接続部（例えば、Ｙ型端子）や、本体部の出力部またはスピーカの入力部（例えば、ボルト及びナットによる締付固定構造）は、製造の便宜や規格上、伝達及び入出力するチャネル信号にかかわらず、同一の形状になっていることが多い。そのため、本来接続されるべきではない本体部の出力部とスピーカの入力部とが信号線で誤って接続される状態（本体部から出力されるチャネル信号が、当該チャネル信号に対応しないスピーカに入力され得る接続状態。以下、誤配線とする）が頻発していた。
【０００５】
誤配線が発生すると、チャネル信号が適切に再生されない問題が生じ得る。具体的に例えば、高音を再生するスピーカに入力されるべきチャネル信号（高音成分を含むチャネル信号）が、低音再生用のスピーカに入力される場合、高音が十分に再生されないなどの問題が生じ得る。このような場合、複数のスピーカを用いて複数のチャネル信号を再生したとしても、十分にその効果を発揮することが困難となる。
【０００６】
また、スピーカ（例えば、ボイスコイル）に想定外の（例えば、定格以上の）負荷がかかることにより、スピーカの発熱や焼損などの問題が生じ得る。
【０００７】
そこで、特許文献１及び２では、複数のスピーカで再生された音をマイクで集音して周波数解析を行うことにより、誤配線や故障の有無を検出する検出装置及び検出方法が提案されている。また、特許文献３では、誤配線の有無が認識され易い音を順次スピーカで再生することにより、ユーザに誤配線の有無を確認させる検出方法が提案されている。
【先行技術文献】
【特許文献】
【０００８】
【特許文献１】特開２００６−３１４００８号公報
【特許文献２】特開２００４−２９７３６８号公報
【特許文献３】特開平６−３１１５７９号公報
【発明の概要】
【発明が解決しようとする課題】
【０００９】
しかしながら、上述した従来の技術では、集音装置や解析装置などの特殊な装置が必要となったり、ユーザが十分な技術的知識を有している必要があったりする。そのため、一般消費者などの不慣れなユーザにとっては、誤配線の検出が困難となる。特に、不慣れなユーザにとっては、誤配線を検出するための装置と音声再生装置とを接続すること自体も、困難なものとなり得る。
【００１０】
さらに、上述した従来の技術では、誤配線を検出できたとしても、ユーザが配線のし直しをする必要がある。そのため、誤配線の修正に係る作業が煩雑となり、問題となる。
【００１１】
そこで、本発明は、スピーカの誤配線の有無を容易に検出することを可能とする音声再生装置を提供することを目的とする。また、誤配線を容易に修正することを可能とする音声再生装置を提供することを目的とする。
【課題を解決するための手段】
【００１２】
上記目的を達成するために、本発明の音声再生装置は、複数のチャネル信号を再生する音声再生装置において、前記複数のチャネル信号のそれぞれに対応する複数のスピーカと、前記複数のスピーカのそれぞれに接続する複数の信号線と、前記複数のチャネル信号を前記複数の信号線のそれぞれを通じて前記複数のスピーカのそれぞれに対して出力する本体部と、を備え、前記本体部が、前記信号線に通じられる信号の状態に基づいて、当該信号線に接続されるスピーカの配線の正誤を判定することを特徴とする。
【００１３】
なお、例えばスピーカの配線が正しい場合、当該スピーカに対応するチャネル信号が入力され得る。また、例えばスピーカの配線が誤っている場合、当該スピーカに対応しないチャネル信号が入力され得る。
【００１４】
また、上記構成の音声再生装置において、前記複数のスピーカの少なくとも１つが、他のスピーカとインピーダンスが異なるものであり、前記本体部が、前記信号線に通じられる信号の電圧値に基づいて、当該信号線に接続されるスピーカの配線の正誤を判定することとしても構わない。
【００１５】
このように構成すると、スピーカのインピーダンスの差異に起因する信号の電圧値の差異に基づいて、スピーカの配線の正誤を判定することが可能となる。そのため、簡易的にスピーカの配線の正誤を判定することが可能となる。
【００１６】
さらに、上記構成の音声再生装置において、前記本体部が、前記信号線に通じられる信号の電圧値と、当該信号線に接続されるスピーカの配線が正しいものである場合に当該信号線に通じられる信号の電圧値と、を比較して、略等しければ当該スピーカの配線が正しいと判定し、異なれば当該スピーカの配線が誤っていると判定しても構わない。
【００１７】
また、上記構成の音声再生装置において、前記複数の信号線に通じられる信号のそれぞれを整流平滑化する複数の整流平滑化部をさらに備え、前記本体部が、前記信号線に通じられる信号を前記整流平滑化部で整流平滑化して得られる電圧値に基づいて、前記スピーカの配線の正誤を判定することとしても構わない。
【００１８】
このように構成すると、信号線に通じられる信号を、時間的な変動の少ない信号（略直流の信号）に変換することが可能となる。そのため、本体部に備えられるＭＣＵ（Micro Control Unit）などの制御装置が、容易に電圧値を取得して演算（正誤判定）を行うことが可能となる。
【００１９】
また、上記構成の音声再生装置において、前記本体部が、前記複数のスピーカのそれぞれに対して略等しい判定用信号を出力し、前記本体部が、前記判定用信号を出力することで前記信号線に通じられる信号の状態に基づいて、当該信号線に接続されるスピーカの配線の正誤を判定することとしても構わない。
【００２０】
このように構成すると、スピーカの配線の判定精度を向上させることが可能となる。また、スピーカの配線の正誤判定だけでなく、スピーカが対応するチャネル信号の推定を行うことも可能となる。
【００２１】
また、上記構成の音声再生装置において、前記本体部が、配線が誤っていると判定したスピーカに対して、出力するチャネル信号を変更することとしても構わない。
【００２２】
このように構成すると、配線が誤っていると判定されたスピーカに対して出力するチャネル信号を、当該スピーカに対応するチャネル信号に変更することで、誤った配線を修正することが可能となる。そのため、ユーザによる配線のし直しを不要とすることが可能となる。
【００２３】
また、上記構成の音声再生装置において、前記本体部が、配線が誤っていると判定した複数のスピーカに出力するチャネル信号を入れ替えることとしても構わない。
【００２４】
このように構成すると、効率良く誤った配線を修正することが可能となる。
【００２５】
また、上記構成の音声再生装置において、前記本体部が、前記複数のスピーカのそれぞれに対して略等しい判定用信号を出力し、前記本体部が、前記判定用信号を出力することで前記信号線に通じられる信号の状態に基づいて、当該信号線に接続されるスピーカに対応するチャネル信号を推定し、推定された当該チャネル信号を変更後のチャネル信号とすることとしても構わない。
【００２６】
このように構成すると、配線が誤っていると判定されたスピーカに対する変更後のチャネル信号を、精度よく当該スピーカに対応するものにすることが可能となる。
【００２７】
さらに、上記構成の音声再生装置において、前記本体部が、前記信号線に通じられる信号の状態と、他の信号線に接続される他のスピーカの配線が正しいものである場合に当該他の信号線に通じられる信号の状態と、を比較して、略等しいものであれば、前記他の信号線を通じて前記他のスピーカに出力するチャネル信号を、前記信号線に接続されるスピーカに対応するチャネル信号として推定することとしても構わない。
【発明の効果】
【００２８】
本発明によると、集音装置や解析装置などの別途装置を用いることなく、信号線に通じられる信号の状態を確認するだけで、誤配線を簡易的に検出することが可能となる。そのため、一般消費者などの不慣れなユーザであったとしても、容易に誤配線を検出することが可能となる。したがって、チャネル信号を適切に再生したり、スピーカの発熱や焼損の発生を抑制したりすることが可能となる
【図面の簡単な説明】
【００２９】
【図１】は、本発明の実施形態にかかる音声再生装置の構成の一例を示すブロック図である。
【図２】は、本発明の実施形態にかかる音声再生装置の配線の設定動作の一例を示すフローチャートである。
【図３】は、図２に示す配線の設定動作によって得られる設定結果の一例を示す表である。
【発明を実施するための形態】
【００３０】
以下、本発明の実施形態にかかる音声再生装置について図面を参照して説明する。最初に、音声再生装置の構成の一例について説明する。図１は、本発明の実施形態にかかる音声再生装置の構成の一例を示すブロック図である。
【００３１】
図１に示すように、本例の音声再生装置１は、光ディスクの読み出しやテレビ放送の受信などにより取得される符号化（圧縮）された音声信号を復号化するデコーダ１１と、デコーダ１１で復号化された音声信号に所定の処理（例えば、音場処理や増幅処理など）を施して出力するＤＳＰ（Digital Signal Processor）１２と、ＤＳＰ１２から出力される信号をＰＷＭ（Pulse Width Modulation）処理して出力するＰＷＭ処理部１３と、入力される信号を再生する複数のスピーカＳ１〜Ｓ６と、ＰＷＭ処理部１３から出力される信号を増幅するとともにＬＰＦ（Low Pass Filter）などを用いて後段のスピーカＳ１〜Ｓ６で再生可能な信号へと変換するＤ級アンプＡ１〜Ａ３と、アンプＡ１〜Ａ３から出力される信号をスピーカＳ１〜Ｓ６のそれぞれに伝達する第１信号線Ｌ１１〜Ｌ６１及び第２信号線Ｌ１２〜Ｌ６２と、第１信号線Ｌ１１〜Ｌ６１に通じられる信号をそれぞれ整流平滑化して出力する整流平滑化部Ｂ１〜Ｂ６と、それぞれの整流平滑化部Ｂ１〜Ｂ６から出力される信号のいずれか１つを選択的に出力する選択部１４と、音声再生装置１の各部を制御するＭＣＵ１５と、音声再生装置１の動作に必要な情報やプログラムを記録したりユーザによる各種設定を記録したりするメモリ１６と、を備える。なお、ＭＣＵ１５による音声再生装置１の各部の制御を示す矢印については、図の簡略化のため省略している。
【００３２】
スピーカＳ１の入力部ｉ１に接続される第１信号線Ｌ１１及び第２信号線Ｌ１２は、アンプＡ１の出力部ｕ１に接続され、スピーカＳ２の入力部ｉ２に接続される第１信号線Ｌ２１及び第２信号線Ｌ２２は、アンプＡ１の出力部ｕ２に接続される。同様に、スピーカＳ３の入力部ｉ３に接続される第１信号線Ｌ３１及び第２信号線Ｌ３２は、アンプＡ２の出力部ｕ３に接続され、スピーカＳ４の入力部ｉ４に接続される第１信号線Ｌ４１及び第２信号線Ｌ４２は、アンプＡ２の出力部ｕ４に接続される。さらに、スピーカＳ５の入力部ｉ５に接続される第１信号線Ｌ５１及び第２信号線Ｌ５２は、アンプＡ３の出力部ｕ５に接続され、スピーカＳ６の入力部ｉ６に接続される第１信号線Ｌ６１及び第２信号線Ｌ６２は、アンプＡ３の出力部ｕ６に接続される。
【００３３】
第１信号線Ｌ１１〜Ｌ６１及び第２信号線Ｌ１２〜Ｌ６２の端部に設けられる接続部（例えば、Ｙ型端子）は、スピーカＳ１〜Ｓ６の入力部ｉ１〜ｉ６及びアンプＡ１〜Ａ３の出力部ｕ１〜ｕ６のそれぞれ（例えば、ボルト及びナットの締付固定部）と接続可能である。また、上述のように、伝達及び入出力するチャネル信号の種類によらず、これらのコネクタは略同一の形状であるものとする。なお、以下では説明の簡略化のため、入力部ｉ１〜ｉ６及び出力部ｕ１〜ｕ６を適宜省略する。
【００３４】
また、以下では説明の具体化のために、音声再生装置１が、５．１ｃｈの信号を再生するものとする。また、原則（後述する変更動作を行わない場合）、アンプＡ１の出力部ｕ１から左フロントスピーカ（ＦＬ）用のチャネル信号が出力され、アンプＡ１の出力部ｕ２から右フロントスピーカ（ＦＲ）用のチャネル信号が出力され、アンプＡ２の出力部ｕ３からセンタースピーカ（Ｃ）用のチャネル信号が出力され、アンプＡ２の出力部ｕ４からサブウーハースピーカ（ＳＷ）用のチャネル信号が出力され、アンプＡ３の出力部ｕ５から左サラウンドスピーカ（ＳＬ）用のチャネル信号が出力され、アンプＡ３の出力部ｕ６から右サラウンドスピーカ（ＳＲ）用のチャネル信号が出力されるものとする。
【００３５】
上記のそれぞれのチャネル信号と、スピーカＳ１〜Ｓ６とが対応する場合を「正配線」とし、それ以外の状態を「誤配線」とする。上記の場合、スピーカＳ１が左フロントスピーカ、スピーカＳ２が右フロントスピーカ、スピーカＳ３がセンタースピーカ、スピーカＳ４がサブウーハースピーカ、スピーカＳ５が左サラウンドスピーカ、スピーカＳ６が右サラウンドスピーカであれば、それぞれ「正配線」となる。一方、例えばスピーカＳ１がセンタースピーカであれば、左フロントスピーカ用のチャネル信号がセンタースピーカに入力されるため、スピーカＳ１は「誤配線」となる。
【００３６】
整流平滑化部Ｂ１は、第１信号線Ｌ１１に通じられる信号が一端に入力される抵抗Ｒ１と、抵抗Ｒ１の他端に一端が接続される第１コンデンサＣ１１と、第１コンデンサＣ１１の他端にアノードが接続されるダイオードＤ１と、ダイオードＤ１のカソードに一端が接続されて他端が接地される第２コンデンサＣ１２と、を備える。また、ダイオードＤ１及び第２コンデンサＣ１２の接続ノードの信号が、選択部１４に入力される。
【００３７】
整流平滑化部Ｂ２〜Ｂ６も同様である。即ち、第１信号線Ｌ２１〜Ｌ６１に通じられる信号が一端に入力される抵抗Ｒ２〜Ｒ６と、抵抗Ｒ２〜Ｒ６の他端に一端が接続される第１コンデンサＣ２１〜Ｃ６１と、第１コンデンサＣ２１〜Ｃ６１の他端にアノードが接続されるダイオードＤ２〜Ｄ６と、ダイオードＤ２〜Ｄ６のカソードに一端が接続されて他端が接地される第２コンデンサＣ２２〜Ｃ６２と、を備え、ダイオードＤ２〜Ｄ６及び第２コンデンサＣ２２〜Ｃ６２のそれぞれの接続ノードの信号が、選択部１４にそれぞれ入力される。
【００３８】
なお、図１に示すスピーカＳ１〜Ｓ６、第１信号線Ｌ１１〜Ｌ６１、第２信号線Ｌ１２〜Ｌ６２及びアンプＡ１〜Ａ３の数や構成などは一例に過ぎず、どのような数及び構成としても構わない。ただし、スピーカ及びそれに対応する信号線は、それぞれ複数備えられるものとする。
【００３９】
また、図１に示す整流平滑化部Ｂ１〜Ｂ６の構成は一例に過ぎず、整流平滑化が実現される限り、どのような構成としても構わない。また、図１では模式的に、第１信号線Ｌ１１〜Ｌ６１と整流平滑化部Ｂ１〜Ｂ６とが直接的に接続されるように図示しているが、整流平滑化部Ｂ１〜Ｂ６は、第１信号線を通じる信号が取得できる部分（例えば、出力部ｕ１〜ｕ６に接続するアンプＡ１〜Ａ３内の信号線など）であればどの部分と接続しても構わない。
【００４０】
また、同じスピーカに接続される第１信号線Ｌ１１〜Ｌ６１及び第２信号線Ｌ１２〜Ｌ６２のそれぞれの極性（例えば、＋及び−）は、どのようなものであっても構わないし、不平衡型としても構わない。ただし、平衡型として、第１信号線Ｌ１１〜Ｌ６１の極性と、第２信号線Ｌ１２〜Ｌ６２の極性と、をそれぞれ同じものとして揃えると、後述する配線の判定を精度よく行うことができるようになるため、好ましい。
【００４１】
また、例えばデコーダ１１、ＤＳＰ１２、ＰＷＭ処理部１３、アンプＡ１〜Ａ３、選択部１４、ＭＣＵ１５及びメモリ１６は、一つの筐体内にまとめて備えられ得るものであり、音声再生装置１の本体部として解釈され得る。また、出力部ｕ１〜ｕ６は、本体部の出力部として解釈され得る。また、本体部は、表示装置やチューナの一部、光ディスクの再生装置の一部として解釈され得る。
【００４２】
次に、音声再生装置１の音声再生動作の一例について、図１を参照して説明する。最初に、光ディスクを読み出したり放送を受信したりして取得されたデジタルの音声信号が、音声再生装置１に入力される。ＭＣＵ１５は、この音声信号をデコーダ１１に入力する。デコーダ１１は、入力される音声信号に施されている符号化方法（例えば、ＡＣ−３：Audio Code number 3）に対応した復号化方法を用いて復号化し、ＤＳＰ１２に入力する。ＤＳＰ１２は、入力される信号に対して音場処理や増幅処理などの所定の処理を施して、ＰＷＭ処理部１３に入力する。
【００４３】
デコーダ１１からＤＳＰ１２を介してＰＷＭ処理部１３に入力される信号は、デジタルの信号であり、例えばＰＣＭ（Pulse Code Modulation）信号としても構わない。さらに、信号の伝送形式をＩ2Ｓ（Inter-IC Sound）形式としても構わない。なお、複数のチャネル信号のデータが、このＩ2Ｓ形式の信号に含まれる。
【００４４】
ＰＷＭ処理部１３は、入力される信号をそれぞれのチャネル毎のＰＷＭ信号に変換する。それぞれのＰＷＭ信号は、アンプＡ１〜Ａ３のそれぞれに入力されて増幅され、さらにＬＰＦに通じられることで、スピーカＳ１〜Ｓ６で再生可能なアナログの信号に変換される。
【００４５】
そして、アンプＡ１〜Ａ３からスピーカＳ１〜Ｓ６に対し、第１信号線Ｌ１１〜Ｌ６１及び第２信号線Ｌ１２〜Ｌ６２を介して平衡的にチャネル信号が伝送される。これにより、それぞれのスピーカＳ１〜Ｓ６でそれぞれのチャネル信号が再生される。
【００４６】
以上のように構成及び動作させることにより、複数のチャネル信号を複数のスピーカにおいて再生することが可能となる。ただし、それぞれのスピーカＳ１〜Ｓ６とアンプＡ１〜Ａ３（本体部）とが上述した正しい接続関係になく、誤配線が生じて対応しないチャネル信号が入力されるスピーカが存在する場合がある。この場合、複数のチャネル信号を複数のスピーカＳ１〜Ｓ６で再生することによる効果を十分に発揮することができなくなったり、スピーカの発熱や焼損などの問題が生じたりする。
【００４７】
以下では、この問題を解消するための音声再生装置１の動作について、図２及び図３を参照して説明する。図２は、本発明の実施形態にかかる音声再生装置の配線の設定動作の一例を示すフローチャートであり、図３は、図２に示す配線の設定動作によって得られる設定結果の一例を示す表である。なお、図２に示す設定動作には、誤配線を検出するための配線の判定動作と、検出された誤配線を修正するためのチャネル信号の変更動作と、が含まれる。
【００４８】
図２に示すように、配線の設定動作が開始されると、最初にＭＣＵ１５がメモリ１６を参照するなどして、配線の設定機能がＯＮになっているか否かを確認する（ＳＴＥＰ１）。例えば、ユーザなどによって配線の設定機能がＯＦＦにされている場合（ＳＴＥＰ１、ＮＯ）、配線の設定動作を行わない旨の報知をユーザに対して行い（ＳＴＥＰ２）、配線の設定動作を終了する。
【００４９】
一方、配線の設定機能がＯＮとなっている場合（ＳＴＥＰ１、ＹＥＳ）、ユーザに配線の設定動作を実行するか否かを決定させる（ＳＴＥＰ３）。配線の設定動作を実行しない場合（ＳＴＥＰ３、ＮＯ）、上記のＳＴＥＰ２の報知を行い、配線の設定動作を終了する。これに対して、配線の設定動作を実行する場合（ＳＴＥＰ３、ＹＥＳ）、変更フラグをＦａｌｓｅに設定する（ＳＴＥＰ４）。
【００５０】
そして、個々のスピーカＳ１〜Ｓ６に対し、誤配線の有無を検出するための判定動作を実行する。まず、判定するスピーカＳｎ（ｎは１〜６の整数）を選択する（ＳＴＥＰ５）。このとき、ＭＣＵ１５は、スピーカＳｎに接続する第１信号線Ｌ１ｎに通じられる信号を整流平滑化部Ｂｎで整流平滑化して得られる信号が、ＭＣＵ１５に入力されるように、選択部１４の接続を切り替える。また、ＭＣＵ１５は、判定用信号を出力する（ＳＴＥＰ６）。
【００５１】
例えばＭＣＵ１５は、メモリ１６を参照するなどして判定用信号を生成し、出力する。なお、デコーダ１１は、入力される判定用信号を復号化せずにＤＳＰ１２に入力しても構わない。また、ＭＣＵ１５やＤＳＰ１２が、全てのスピーカＳ１〜Ｓ６に判定用信号が入力されるように制御しても構わないし、確認するスピーカＳｎにのみ判定用信号が入力されるように制御しても構わない。また、ＭＣＵ１５は、選択部１４から出力される信号をＭＣＵ１５のＡ／Ｄポート（入力される電圧値（アナログの値）をデジタルの値に変換するポート）に入力させて、演算（判定）を行っても構わない。
【００５２】
このとき、選択部１４からＭＣＵ１５に出力される信号は、整流平滑化されることで時間的な変動が少ない（略直流の）信号となる。そのため、ＭＣＵ１５は容易に電圧値を取得して、演算を行うことが可能となる。
【００５３】
ＭＣＵ１５は、上記のようにして第１信号線Ｌ１ｎに通じられる信号の電圧値を取得し、例えばスピーカＳｎの正配線時の電圧値と比較することで、正配線または誤配線の判定を行う（ＳＴＥＰ７）。例えば、これらの比較する電圧値が、誤差を考慮しても十分に異なるものであれば誤配線であると判定し、略等しいものであれば正配線であると判定する。
【００５４】
スピーカＳ１〜Ｓ６の少なくとも１つのインピーダンスが他と異なっていれば、正配線時と誤配線時とで第１信号線Ｌ１ｎに通じられる信号の電圧値（振幅）が異なる（当該信号を整流平滑化した信号の電圧値、即ち、図１で整流平滑化部Ｂ１〜Ｂ６から出力される信号の電圧値も同様に異なる）場合が生じる。そのため、これらの電圧値を比較するだけで、正配線または誤配線の判定を行うことができる。
【００５５】
具体例として、図３（ａ）を参照して説明する。図３（ａ）は、サブウーハースピーカとそれ以外のスピーカとでインピーダンスが異なる場合の例を示すものである。なお、図中の電圧値は、第１信号線Ｌ１ｎに通じられる信号を整流平滑化部Ｂｎで整流平滑化して得られる信号の電圧値を示すものである（図３（ｂ）も同様）。
【００５６】
図３（ａ）のスピーカＳ１は、正配線時の電圧値が１Ｖであるが、実際に測定された電圧値は０．５Ｖである。このように、電圧値が誤差を考慮しても十分異なる場合は、誤配線であると判定する。一方、図３（ａ）のスピーカＳ２では、正配線時の電圧値が１Ｖであり、実際に測定された電圧値も１Ｖである。このように、電圧値が略等しい場合は、正配線と判定する。なお、正配線時の電圧値のデータを事前に（例えば、製造者が出荷前に）メモリ１６に記録しておき、判定を行う際にＭＣＵ１５が適宜読み出して利用することとしても構わない。
【００５７】
ところで、ＭＣＵ１５から出力される判定用信号は、ＳＴＥＰ５で選択されたスピーカＳｎがどのスピーカＳ１〜Ｓ６であっても同じもの（例えば、周波数が１ｋＨｚや２０ｋＨｚなどで一定であり、信号レベルも所定の大きさである所定の信号）であり、ＤＳＰ１２やアンプＡ１〜Ａ３などにおける判定用信号の増幅度も全て等しいものとすると、好ましい。即ち、スピーカＳ１〜Ｓ６に対して出力する判定用信号を略等しいものとすると、好ましい。
【００５８】
上記のようにスピーカＳ１〜Ｓ６に対して出力する判定用信号を略等しいものとすると、判定精度を向上させることが可能となる。また、正配線または誤配線の判定だけでなく、誤配線されたスピーカＳｎの推定を行うことが可能となる。例えば、第１信号線Ｌ１ｎに通じられた信号の電圧値（当該信号を整流平滑化した信号の電圧値）が、どのスピーカの正配線時の電圧値と略等しいかを確認することで、スピーカＳｎの推定を行うことが可能となる。
【００５９】
この推定方法の具体例について、図３（ａ）及び（ｂ）を参照して説明する。なお、図３（ａ）及び（ｂ）は、スピーカＳ１〜Ｓ６のそれぞれに対して略等しい判定用信号を出力して得られる結果を示すものである。
【００６０】
図３（ａ）は、サブウーハースピーカとそれ以外のスピーカとでインピーダンスが異なるため、正配線時の電圧値がサブウーハースピーカとそれ以外のスピーカとで異なっている。また、サブウーハースピーカ以外のスピーカのインピーダンス及び正配線時の電圧値は、それぞれ略等しい。図３（ｂ）は、センタースピーカ及びサブウーハースピーカと、それ以外のスピーカとでインピーダンスが異なるものである。そのため、正配線時の電圧値が、センタースピーカ及びサブウーハースピーカと、それ以外のスピーカとで異なっている。また、センタースピーカ及びサブウーハースピーカのインピーダンス及び正配線時の電圧値はそれぞれ略等しく、それ以外のスピーカのインピーダンス及び正配線時の電圧値もそれぞれ略等しい。なお、図３（ａ）では、スピーカＳ１及びＳ４が誤配線であると判定され、他のスピーカＳ２、Ｓ３、Ｓ５及びＳ６は正配線であると判定されている。また、図３（ｂ）では、スピーカＳ１及びＳ３〜Ｓ５が誤配線であると判定され、他のスピーカＳ２及びＳ６は正配線であると判定されている。
【００６１】
例えば、図３（ａ）のスピーカＳ１は、実際に測定された電圧値が０．５Ｖであるため、正配線時の電圧値が０．５Ｖであるサブウーハースピーカであると推定される。また、誤配線であると判定されているスピーカＳ４は、実際に測定された電圧値が１Ｖであるため、正配線時の電圧値が１Ｖでありかつ誤配線であると判定されたスピーカＳ１の正配線時のスピーカである左フロントスピーカと推定される。
【００６２】
また例えば、図３（ｂ）のスピーカＳ１及びＳ５は、実際に測定された電圧値が０．５Ｖであるため、正配線時の電圧値が０．５Ｖでありかつ誤配線であると判定されたスピーカＳ３及びＳ４の正配線時のスピーカであるセンタースピーカまたはサブウーハースピーカと推定される。同様に、スピーカＳ３及びＳ４は、実際に測定された電圧値が１Ｖであるため、正配線時の電圧値が１Ｖでありかつ誤配線であると判定されたスピーカＳ１及びＳ５の正配線時のスピーカである左フロントスピーカまたは左サラウンドスピーカと推定される。
【００６３】
そして、全てのスピーカＳ１〜Ｓ６について、上記の判定動作が行われたか否かを確認する（ＳＴＥＰ８）。未判定のスピーカが存在する場合は（ＳＴＥＰ８、ＮＯ）、ＳＴＥＰ５に戻り上記の判定動作（ＳＴＥＰ５〜７）を行う。なお、この判定動作によって得られた判定結果や推定結果を、メモリ１６に記録したり、ＭＣＵ１５に付随するＲＡＭ（不図示）に一時的に記憶したりしても構わない。
【００６４】
一方、全てのスピーカＳ１〜Ｓ６について判定動作を行っていれば（ＳＴＥＰ８、ＹＥＳ）、変更フラグがＦａｌｓｅか否かを確認する（ＳＴＥＰ９）。１回目のＳＴＥＰ９であれば、変更フラグはＦａｌｓｅになっている（ＳＴＥＰ９、ＹＥＳ）。ＳＴＥＰ９の後に、ＳＴＥＰ５〜７の各スピーカについての判定動作で、誤配線であると判定されたスピーカがあったか否かを確認する（ＳＴＥＰ１０）。
【００６５】
誤配線であると判定されたスピーカがない場合（ＳＴＥＰ１０、ＮＯ）、ユーザに設定動作を完了するか否かを選択させる（ＳＴＥＰ１１）。設定動作を完了することが選択される場合（ＳＴＥＰ１１、ＹＥＳ）は終了し、完了しないことが選択される場合（ＳＴＥＰ１１、ＮＯ）は、配線の設定動作を再度行うか否かをユーザに選択させる（ＳＴＥＰ１２）。配線の設定動作を再度行うことが選択される場合は（ＳＴＥＰ１２、ＹＥＳ）、ＳＴＥＰ４に戻り配線の設定動作を再度行う。これに対して配線の設定動作を行わないことが選択される場合は（ＳＴＥＰ１２、ＮＯ）、再度の設定をしない旨を報知して（ＳＴＥＰ１３）、終了する。
【００６６】
一方、誤配線であると判定されたスピーカがあった場合（ＳＴＥＰ１０、ＹＥＳ）、音声再生装置１は変更動作を行う（ＳＴＥＰ１４）。具体的には、誤配線であると判定されたスピーカに出力するチャネル信号の入れ替えを行うことで、アンプから出力されるチャネル信号と、当該チャネル信号が入力されるスピーカとを対応したものとする（正配線の関係にする）変更を行う。この変更動作に際して、上述した推定結果を利用することができる。
【００６７】
例えば図３（ａ）では、スピーカＳ１がサブウーハースピーカ、スピーカＳ４が左フロントスピーカであると推定される。そのため、ＭＣＵ１５は、ＤＳＰ１２やＰＷＭ処理部１３を制御することで、スピーカＳ１に対してサブウーハースピーカ用のチャネル信号が出力され、スピーカＳ４に対して左フロントスピーカ用のチャネル信号が出力されるように、チャネル信号の変更を行う。
【００６８】
また例えば、図３（ｂ）では、スピーカＳ１及びＳ５が、センタースピーカまたはサブウーハースピーカであると推定され、スピーカＳ３及びＳ４が、左フロントスピーカまたは左サラウンドスピーカであると推定される。そのため、ＭＣＵ１５は、ＤＳＰ１２やＰＷＭ処理部１３を制御することで、例えばスピーカＳ１に対してセンタースピーカ用のチャネル信号が出力され、スピーカＳ３に対して左フロントスピーカ用のチャネル信号が出力され、スピーカＳ４に対して左サラウンドスピーカ用のチャネル信号が出力され、スピーカＳ５に対してサブウーハースピーカ用のチャネル信号が出力されるように変更する。なお、本例のように変更候補が複数ある場合、自動的にいずれかが選択されるようにしても構わないし、ユーザに選択させても構わない。
【００６９】
上記のように変更を行った後、変更フラグをＴｒｕｅに設定して（ＳＴＥＰ１５）ＳＴＥＰ５に戻り、配線の判定動作（ＳＴＥＰ５〜７）を再度行う。そして、全てのスピーカ（変更したスピーカのみでも構わない）の配線の判定動作が終了すると（ＳＴＥＰ８、ＹＥＳ）、変更フラグがＦａｌｓｅではなくＴｒｕｅであるため（ＳＴＥＰ９、ＮＯ）、ＳＴＥＰ１１に進む。
【００７０】
このＳＴＥＰ１１において、ＳＴＥＰ１４で行った変更内容や、再度行った判定動作の結果（例えば、誤配線の修正）などをユーザに報知しても構わない。なお、ＳＴＥＰ１１以降の動作は、上述した通りである。
【００７１】
以上のように構成すると、集音装置や解析装置などの別途装置を用いることなく、誤配線を簡易的に検出することが可能となる。そのため、一般消費者などの不慣れなユーザであったとしても、容易に誤配線を検出することが可能となる。したがって、チャネル信号を適切に再生したり、発熱や焼損の発生を抑制したりすることが可能となる。
【００７２】
さらに、誤配線であると判定されたスピーカに対して出力するチャネル信号を、当該スピーカに対応するチャネル信号に変更することで、誤配線を修正することが可能となる。そのため、ユーザによる配線のし直しを不要とすることが可能となる。
【００７３】
また、誤配線が検出されたスピーカに対して出力するチャネル信号を変更することで、効率良く誤配線を修正することが可能となる。
【００７４】
なお、変更動作後の状態をメモリ１６に記録し、次回に音声再生装置１を動作させたときに当該状態が読み出されることとしても構わない。このように構成すると、再度の設定動作を行わずに変更後の状態を実現することが可能となる。また、この状態の読み出しを行う場合、配線の設定機能をＯＦＦにしても構わない（図２のＳＴＥＰ１参照）。
【００７５】
また、図３ではインピーダンスが他と異なるスピーカが少ない例を示したが、インピーダンスが他と異なるスピーカは多くても構わない。特に、インピーダンスが他と異なるスピーカが多いほど、誤配線の検出やスピーカを推定する精度を高めることが可能となる。
【００７６】
また、図２のＳＴＥＰ１１において、ＭＣＵ１５が、スピーカＳ１〜Ｓ６の１つずつに対し信号を再生させる（音を発生させる）ように制御することで、ユーザが配線の最終確認を行い得るようにしても構わない。さらに、ＳＴＥＰ１１において、最終確認を行ったユーザが、変更するチャネル信号の指示を音声再生装置１に対して入力することができるようにしても構わない。
【００７７】
このように構成すると、誤って正配線であると判定したスピーカや、入力されるチャネル信号が誤って変更されたスピーカなどを、ユーザが発見することが可能となる。また、このとき発見された誤配線を修正することが可能となる。
【００７８】
また、図２示す配線の設定動作は、例えば、音声再生装置１への電力供給が開始されたときに開始することとしても構わない。また、ＳＴＥＰ２やＳＴＥＰ１３の報知は、例えば音声再生装置１の表示部（例えば、液晶表示装置やＶＦＤ：Vacuum Fluorescent Display）に表示したり、音声再生装置１が接続されたり関連付けられたりする（または、その一部となる）表示装置に表示したりしても構わない。
【００７９】
また、判定用信号の周波数は、どのようなものとしても構わない。例えば、ユーザに聞こえない音で判定動作を行う場合、２０ｋＨｚ付近の周波数を選択しても構わない。また例えば、ユーザに聞こえる音で判定動作を行う場合、１ｋＨｚ付近の周波数を選択しても構わない。
【００８０】
また、主として５．１ｃｈの音声信号を再生する音声再生装置１について説明したが、７．１ｃｈや２．１ｃｈなどの複数のチャネル信号を含む音声信号を複数のスピーカを用いてそれぞれ再生するものであれば、他の構成の音声再生装置でも本発明を適用することができる。
【００８１】
以上、本発明における実施形態について説明したが、本発明の範囲はこれに限定されるものではなく、発明の主旨を逸脱しない範囲で種々の変更を加えて実行することができる。
【産業上の利用可能性】
【００８２】
本発明は、複数のチャネル信号のそれぞれを再生する複数のスピーカを備えた音声再生装置に利用することができる。
【符号の説明】
【００８３】
１    音声再生装置
１１  デコーダ
１２  ＤＳＰ
１３  ＰＷＭ処理部
１４  選択部
１５  ＭＣＵ
１６  メモリ
Ａ１〜Ａ３  アンプ
Ｓ１〜Ｓ６  スピーカ
Ｌ１１〜Ｌ６１  第１信号線
Ｌ１２〜Ｌ６２  第２信号線
Ｂ１〜Ｂ６  整流平滑化部
ｕ１〜ｕ６  出力部
ｉ１〜ｉ６  入力部
【図１】
2011114570.tif 000003
【図２】
2011114570.tif 000004
【図３】
2011114570.tif 000005